(57)【要約】      （修正有）【課題】生ごみ処理槽を開けて現物を見ずとも、処理状況をリアルタイムで監視でき、監視結果を生ごみ処理槽の処理能力をアピールするデータにも利用できる生ゴミ処理状況監視装置を提供する。【解決手段】生ごみ処理槽１の底側の脚部７に設けたセンサモジュール（ロードセル）と、荷重センサからの重量データと時刻情報に基づいて処理量と投入量を算出する監視機能と、算出された処理量と投入量を報告する報告機能を備える本体部２５で構成され、監視機能はマイコンのソフトウエアにより実現され、報告機能は処理量と投入量からＷｅｂブラウザ表示用情報を作成・提供する。Ｗｅｂブラウザから表示フォームに入力することで監視プログラムが作成される。また、データをブラウザ画面で閲覧でき、状況の報告を受けることができる。スマートフォンやパソコンにブラウザ機能さえあれば、ＯＳに依存せず閲覧できる。【選択図】  図１
0003223763.tif 000002
【実用新案登録請求の範囲】
【請求項１】
生ごみ処理槽の底側の脚部に設けた荷重センサと、前記荷重センサからの重量データと時刻情報に基づいて処理量と投入量を算出する監視機能と、算出された前記処理量と投入量を報告する報告機能を備える本体部で構成され、前記監視機能はマイコンのソフトウエアにより実現され、前記報告機能は前記処理量と投入量からＷｅｂブラウザ表示用情報を作成・提供することを特徴とする生ごみ処理状況監視装置。
【請求項２】
請求項１に記載した生ごみ処理状況監視装置において、
本体部は監視条件を設定する設定機能を備え、前記設定機能はＷｅｂブラウザ表示用情報を作成・提供し、Ｗｅｂブラウザ上での表示情報の変更操作により設定データを取得することを特徴とする生ごみ処理状況監視装置。
【請求項３】
請求項１または２に記載した生ごみ処理状況監視装置において、
監視機能は、テキストファイル形式で処理量と投入量の記録を保存し、
報告機能は、Ｗｅｂブラウザ表示用情報に前記記録を取り出すダウンロードボタンを含ませることを特徴とする生ごみ処理状況監視装置。
【請求項４】
請求項１から３のいずれかに記載した生ごみ処理状況監視装置において、
荷重センサはセンサモジュールで構成されていることを特徴とする生ごみ処理状況監視装置。
【請求項５】
請求項１から４のいずれかに記載した生ごみ処理状況監視装置において、
荷重センサが複数設けられていることを特徴とする生ごみ処理状況監視装置。
【請求項６】
請求項１から５のいずれかに記載した生ごみ処理状況監視装置と一体化されたことを特徴とする生ごみ処理装置。
【考案の詳細な説明】
【技術分野】
【０００１】
本考案は、生ごみを分解処理する生ごみ処理槽における生ごみ処理状況を監視する生ごみ処理状況監視装置に関するものである。
【背景技術】
【０００２】
生ごみを分解処理する方法として、特許文献１に記載のように、分解、発酵を行う微生物を含んだ菌床（チップ）と生ごみとを同一の生ごみ処理槽に入れて分解処理を行う方法が知られている。
【先行技術文献】
【特許文献】
【０００３】
【特許文献１】特開２００６−１１０５１４号公報
【考案の概要】
【考案が解決しようとする課題】
【０００４】
この方法では、生ごみが現場に持ち込まれると、生ごみ処理槽の蓋体を開けて槽内に余地があれば従前に投入した生ごみが残っていてもその都度投入されており、生ごみの投入量も投入タイミングもまちまちとなっている。
而して、生ごみは年々増加しており、生ごみ処理槽を開けて現物を見ずとも、処理状況をリアルタイムで監視できれば、投入量や投入タイミングの調整も容易となり、処理効率が上がる。また、監視結果を生ごみ処理槽の処理能力をアピールするデータにも利用できる。
【０００５】
本考案は、上記従来の問題点に着目して為されたものであり、処理状況を遠隔でもリアルタイムで監視できる、新規且つ有用な生ごみ処理状況監視装置を提供することを、その目的とする。
また、本考案は、生ごみ処理状況監視機能を備えた生ごみ処理装置を提供することを、その目的とする。
【課題を解決するための手段】
【０００６】
本考案は上記課題を解決するためになされたものであり、請求項１の考案は、生ごみ処理槽の底側の脚部に設けた荷重センサと、前記荷重センサからの重量データと時刻情報に基づいて処理量と投入量を算出する監視機能と、算出された前記処理量と投入量を報告する報告機能を備える本体部で構成され、前記監視機能はマイコンのソフトウエアにより実現され、前記報告機能は前記処理量と投入量からＷｅｂブラウザ表示用情報を作成・提供することを特徴とする生ごみ処理状況監視装置である。
【０００７】
請求項２の考案は、請求項１に記載した生ごみ処理状況監視装置において、本体部は監視条件を設定する設定機能を備え、前記設定機能はＷｅｂブラウザ表示用情報を作成・提供し、Ｗｅｂブラウザ上での表示情報の変更操作により設定データを取得することを特徴とする生ごみ処理状況監視装置である。
【０００８】
請求項３の考案は、請求項１または２に記載した生ごみ処理状況監視装置において、監視機能は、テキストファイル形式で処理量と投入量の記録を保存し、報告機能は、Ｗｅｂブラウザ表示用情報に前記記録を取り出すダウンロードボタンを含ませることを特徴とする生ごみ処理状況監視装置である。
【０００９】
請求項４の考案は、請求項１から３のいずれかに記載した生ごみ処理状況監視装置において、荷重センサはセンサモジュールで構成されていることを特徴とする生ごみ処理状況監視装置である。
【００１０】
請求項５の考案は、請求項１から４のいずれかに記載した生ごみ処理状況監視装置において、荷重センサが複数設けられていることを特徴とする生ごみ処理状況監視装置である。
【００１１】
請求項６の考案は、請求項１から５のいずれかに記載した生ごみ処理状況監視装置と一体化されたことを特徴とする生ごみ処理装置である。
【考案の効果】
【００１２】
本考案の生ごみ処理状況監視装置を利用して、処理状況を遠隔でもリアルタイムで監視できれば、投入量や投入タイミングの調整も容易となり、処理効率が上がる。また、監視結果を生ごみ処理槽の処理能力をアピールするデータにも利用できる。
【図面の簡単な説明】
【００１３】
【図１】本考案の実施の形態に係る生ごみ処理状況監視装置の全体図である。
【図２】図１の生ごみ処理状況監視装置のセンサモジュールの斜視図である。
【図３】図２のセンサモジュールと脚部の一部断面側面図である。
【図４】図３の一部拡大図である。
【図５】図１の生ごみ処理状況監視装置の本体部と、スマートフォンの論理的構成図である。
【図６】図５のスマートフォン上のブラウザ画面（トップ画面）である。
【図７】図５のスマートフォン上のブラウザ画面（処理量データ画面）である。
【図８】図５のスマートフォン上のブラウザ画面（設定画面）である。
【図９】テキストファイルの出力画面である。
【図１０】Ｅｘｃｅｌ画面である。
【考案を実施するための形態】
【００１４】
本考案の実施の形態に係る生ごみ処理状況監視装置を、図面にしたがって説明する。
図１で符号１は生ごみ処理槽を示す。この生ごみ処理槽１は方形の箱型をしており、上面部に蓋体３、３が設けられている。また、側面部には排水チューブ５が接続されている。生ごみ処理槽１の内部には撹拌羽根が配設されている。撹拌羽根の下側には金網が張られている。
生ごみ処理槽１には菌床（チップ）が予め供給されており、蓋体３を開けて生ごみを投入すると、生ごみが菌床（チップ）と共に撹拌され、分解処理が進行すると、水と炭酸ガスは排水チューブ５を介して出され、細かくなった残渣は網目を通って底面に溜まるようになっている。
【００１５】
生ごみ処理槽１の底面部の下面四隅にはそれぞれ脚部７、７、……が固定されており、生ごみ処理槽１は設置面（Ｇ）から所定の高さに持ち上げ支持されている。
脚部７は、円板部９と円板部９の軸中心に立設されたネジ軸１１とでなり、このネジ軸１１が底面部に設けられたネジ孔（図示省略）と螺合することで固定されており、脚部７の長さを伸縮可能とするアジャスタ機能が備えられている。
円板部９の下面には被せ蓋１３の上面部が固定されている。この被せ蓋１３は板状のベース部１５の上面に固定されたセンサモジュール１７に被せるようになっている。ベース部１５の下面の下側が設置面（Ｇ）になっている。
センサモジュール１７の配線がまとめてケーブル１９として引き出されており、このケーブル１９の引出し用に被せ蓋１３の側面部には切欠き１３ａが形成されている。
【００１６】
上記のように、センサモジュール１７は脚部７とは分離できるので、後述の「補正設定」の際に、較正用のおもりを乗せることができる。
【００１７】
センサモジュール１７のセンサは４ポイントタイプのロードセル２１、２１、……で構成されている。図３、図４に示すように、ロードセル２１の起歪体２３は、ブリッジ状になっており、上方から荷重を受けて圧縮する。
センサモジュール１７には、アンプ部、Ａ／Ｄ変換部が設けられており、ケーブル１９を本体部２５に接続するだけで使用できる。
サイズの有る生ごみ処理槽１の下面の四隅に配置されたセンサモジュール１７、１７、……を利用することで、投入された生ごみが片寄ったり撹拌によって動いたりしても、その時の生ごみ処理槽１内の生ごみの「重量」を正確に計測できるようになっている。
【００１８】
本体部２５のケース２７には電源スイッチ２９、ＤＣジャック、電源ランプ３１が設けられており、ＤＣジャックに電源コード３３を接続し、電源スイッチ２９をＯＮにすれば、給電されて重量計測モードになる。また、電源ランプ３１が点灯して状態表示する。
ケース２７の内部では、基板にＷｉＦｉ（登録商標）内蔵のマイコンモジュールが搭載されたものが収容されており、マイコンが書き込まれた監視プログラムを実行することでセンサモジュール１７側を制御している。
【００１９】
マイコンが所定のサンプリング周期に従って、センサモジュール１７、１７、……にアクセスしてセンサモジュール１７毎に重量を計測する。なお、センサ値には生ごみ処理槽１やそこに予め供給されている菌床（チップ）の重量も含まれているが、これらの重量は除かれるように設定されている。
センサモジュール１７、１７、……のそれぞれの計測した重量を合計することで、投入された生ごみが片寄ったり撹拌によって動いたりしても、その計測時点での生ごみの重量を正確に計測できるようになっている。
【００２０】
マイコンは直前の計測した重量と現時点で計測した重量との重量変化量を、プラスの場合には投入量、マイナスの場合には処理量として逐次算出していく。そして、投入量と処理量を区別して、計測毎にそれぞれ積算していく。
これらのデータを、タイマから取得される当該計測時（センサ値の受信時刻）の時刻情報と対応付けて、ログ情報として記録部に蓄積する。なお、インターネットに接続されているときには、タイマではなく、インターネットから時刻情報を取得する。ログ情報はテキストファイル形式になっている。
【００２１】
マイコンモジュールにはＷｅｂサーバが構築されており、Ｗｅｂブラウザ表示用情報を作成・提供する。従って、Ｗｅｂブラウザからの操作でブラウザ画面上に表示されたフォームに入力することで監視プログラムが作成されて書き込まれる。また、Ｗｅｂブラウザからの操作で上記データをブラウザ画面で閲覧できる。すなわち、状況の報告を受けることができる。
この機能を使うことで、スマートフォンやパソコンにブラウザ機能さえあればWindows（登録商標）、Mac（登録商標）、Android（登録商標）など、OSに依存せず閲覧できる。
【００２２】
すなわち、本体部２５は、図５に示すように、マイコン等のハードウエアと監視プログラム（ソフトウエア）が協業して、重量計測を利用した生ごみ処理槽１内の生ごみの処理状況を監視する監視機能と、スマートフォンＳやパソコンを利用して監視結果を報告する報告機能が実現されている。
【００２３】
ブラウザ機能を備えたスマートフォンＳ、パソコンのＷｉＦｉを起動させ、所定のパスワードを入力すると、本体部２５とのＷｉＦｉ接続が確立される。
図６はスマートフォンＳのディスプレイに表示されたブラウザ画面を示している。これはトップ画面であり、以下の内容が表示されている。
「合計重量」：４つのセンサモジュール１７、１７、……による直前の計測重量の合計重量
「重量１〜４」：各センサモジュール１７による直前の計測重量
「今日の処理量」：現時点での（＝直前の計測重量まで積算された）今日の生ごみ処理量
「今日の投入量」：現時点での（＝直前の計測重量まで積算された）今日の生ごみ投入量
【００２４】
なお、上記「重量１〜４」では、「マイナス（−）」の数値も示されているが、ロードセル２１によるセンサ値（生値）に基づいており、ロードセル２１の起歪体２３が引張り方向に歪む場合には「マイナス（−）」になる。生ごみの片寄り状況によっては、「マイナス（−）」になる。
また、「処理量データ」ボタンが押されると、「１日」、「１月」、「１年」等、任意のソートでログ情報を出力する。図７では、「１日」単位での生ごみの処理の履歴が示されている。
【００２５】
「設定」ボタンが押されると、画面遷移する。図８はスマートフォンＳのディスプレイに表示されたブラウザ画面を示している。以下の各種ボタンが表示されている。これらのボタンの押下操作を受けて、本体部２５は各種設定データを取得する。
「０リセット」：このボタンが押されると、現在の重量を０ｋｇ、すなわち生ごみ処理槽１内が空になっている初期設定に戻すと共に、過去の履歴と分断する。
「補正設定」：このボタンが押されると、画面遷移して補正設定画面を表示する。補正基準と同じ重量のおもりを各センサモジュール１７にそれぞれ載せ、この画面を利用して、各センサモジュール１７の出力センサ値に加える補正式を決定する。センサ値（生値）が実際の重量（荷重）に正確に対応する補正センサ値に加工され、その補正センサ値を本体部２５が重量換算に利用する。
「処理量を保存しない」：このボタンが押されると、処理量の記録を停止する。
「履歴消去」：このボタンが押されると、上記したログ情報の記録を削除する。
「ＷｉＦｉ設定」：このボタンが押されると、ＷｉＦｉ接続を確立する。
「時刻設定」：このボタンが押されると、画面遷移して時刻設定画面を表示する。ＷｉＦｉに接続せずに、処理量を記録したいときには、電源ＯＮし、この画面を利用して、時刻を設定する。
【００２６】
なお、データは、本体部２５のメモリに、図９に示すように、テキストファイル形式で記録されており、「処理量データ」画面に表示された「ダウンロード」ボタンが押されると、データが送信されるので、このデータをファイル保存し、Ｅｘｃｅｌ（登録商標）上でこのファイルを開くことで、Ｅｘｃｅｌ管理することができる。
従って、視認し易いように、図１０に示すように、データをグラフ化することができる。
【００２７】
以上、本考案の実施の形態について詳述してきたが、具体的構成は、この実施の形態に限られるものではなく、本考案の要旨を逸脱しない範囲における設計の変更などがあっても考案に含まれる。
【符号の説明】
【００２８】
１…生ごみ処理槽              ３…蓋体        ５…排水チューブ  ７…脚部
９…円板部    １１…ネジ軸  １３…被せ蓋    １３ａ…切欠き    １５…ベース部
１７…センサモジュール        １９…ケーブル  ２１…ロードセル  ２３…起歪体
２５…本体部    ２７…ケース  ２９…電源スイッチ                ３１…電源ランプ
３３…電源コード
Ｓ…スマートフォン
【図１】
0003223763.tif 000003
【図２】
0003223763.tif 000004
【図３】
0003223763.tif 000005
【図４】
0003223763.tif 000006
【図５】
0003223763.tif 000007
【図６】
0003223763.tif 000008
【図７】
0003223763.tif 000009
【図８】
0003223763.tif 000010
【図９】
0003223763.tif 000011
【図１０】
0003223763.tif 000012